(57)【要約】【課題】毛髪保持具を巻き上げた時の巻き上げ力に優れる毛髪保持具及びその製造方法の提供。【解決手段】本発明の毛髪保持具１は、一端の開口部２１から他端の開口部２２に向けて毛髪束を挿通可能に構成された筒状体２を備えており、長手方向Ｘと幅方向Ｙを有している。筒状体２は、長手方向Ｘに沿って巻き上げ可能に構成されており、巻き上げ時に内側に位置する一面シート２３Ａ及び巻き上げ時に外側に位置する他面シート２３Ｂを有し、両シート２３Ａ，２３Ｂが結合された一対の側部結合部２４、及びその間に位置する筒状部２０を有している。一面シート２３Ａは、長手方向Ｘの一方又は双方の側縁部に、幅方向Ｙに折り返された折り返し部２７を有している。一対の側部結合部２４の一方又は双方が、両シート２３Ａ，２３Ｂと、折り返し部２７とが積層され且つ厚み方向Ｚに一体化された高剛性部となっている。【選択図】図１
2019111289.tif 000002
【特許請求の範囲】
【請求項１】
一端の開口部から他端の開口部に向けて毛髪束を挿通可能に構成された筒状体を備え、長手方向と該長手方向に直交する幅方向を有する毛髪保持具であって、
前記筒状体は、前記長手方向に沿って巻き上げ可能に構成されており、巻き上げ時に内側に位置する一面シート及び巻き上げ時に外側に位置する他面シートを有しており、
前記筒状体は、前記一面シートと前記他面シートとが結合された一対の側部結合部、及びその間に位置する筒状部を有しており、
前記一面シートは、前記長手方向の一方又は双方の側縁部に、前記幅方向に折り返された折り返し部を有しており、
前記一対の側部結合部の一方又は双方が、前記一面シートと、前記他面シートと、前記一面シートの前記折り返し部とが積層され且つ厚み方向に一体化された高剛性部となっている、毛髪保持具。
【請求項２】
前記毛髪保持具は、巻き上げた状態を記憶させてある、請求項１に記載の毛髪保持具。
【請求項３】
前記一面シートは、その両側縁部それぞれに、前記折り返し部を有している、請求項１又は２に記載の毛髪保持具。
【請求項４】
前記折り返し部が、前記毛髪保持具の厚み方向において、前記他面シート側に向かって折り返されている、請求項１〜３の何れか１項に記載の毛髪保持具。
【請求項５】
前記他面シートは、前記毛髪保持具の厚み方向において、前記一面シートの前記折り返し部と該折り返し部以外の部分との間に位置している、請求項１〜４の何れか１項に記載の毛髪保持具。
【請求項６】
前記他面シートは、前記長手方向の一方又は双方の側縁部に、前記幅方向に折り返された折り返し部を有しており、
前記一対の側部結合部の一方又は双方が、前記一面シートと、前記他面シートと、前記一面シートの前記折り返し部と、前記他面シートの前記折り返し部とが積層され且つ厚み方向に一体化された高剛性部となっている、請求項１〜５の何れか１項に記載の毛髪保持具。
【請求項７】
前記長手方向における両側縁部それぞれに巻き締め片を有している、請求項１〜６の何れか１項に記載の毛髪保持具。
【請求項８】
前記折り返し部は、ヒンジ部を有しており、
前記ヒンジ部は、毛髪保持具の長手方向に延びる直線状の凹部からなる押し罫により形成されており、
前記押し罫は、前記一面シートを部分的に貫通する切り離し部を有している、請求項１〜７の何れか１項に記載の毛髪保持具。
【請求項９】
前記切り離し部は、前記折り返し部の前記側縁部に沿って間欠的に複数形成されており、
前記複数の切り離し部の長さの合計が、前記長手方向における折り返し部の長さに対して、５０％以上である、請求項８に記載の毛髪保持具。
【請求項１０】
一端の開口部から他端の開口部に向けて毛髪束を挿通可能に構成された筒状体を備え、長手方向と該長手方向に直交する幅方向を有する毛髪保持具であって、
前記筒状体は、巻き上げ可能に構成されており、巻き上げ時に内側に位置する一面シート及び巻き上げ時に外側に位置する他面シートを有しており、
前記一面シートと他面シートとは、それらが連なった１枚の連続シートからなり、
前記連続シートは、前記一面シートと前記他面シートとの境界部で二つ折りにされており、該連続シートの側縁部同士が結合している、毛髪保持具。
【請求項１１】
一端の開口部から他端の開口部に向けて毛髪束を挿通可能に構成された、一面シート及び他面シートを有する筒状体を備え、長手方向と該長手方向に直交する幅方向を有する毛髪保持具の製造方法であって、
前記一面シートと前記他面シートとを重ね合わせる工程と、
前記一面シートの長手方向の一方又は双方の側縁部を、幅方向に折り返して折り返し部を形成する工程と、
前記一面シートと、前記他面シートと、前記一面シートの前記折り返し部とが積層された積層構造を厚み方向に一体化する工程とを具備する、毛髪保持具の製造方法。
【請求項１２】
前記積層構造を融着により一体化する、請求項１１に記載の毛髪保持具の製造方法。
【請求項１３】
前記積層構造を接着により一体化する、請求項１１に記載の毛髪保持具の製造方法。
【請求項１４】
前記積層構造を縫合により一体化する、請求項１１に記載の毛髪保持具の製造方法。
【発明の詳細な説明】
【技術分野】
【０００１】
本発明は、毛髪保持具及びその製造方法に関する。
【背景技術】
【０００２】
下記特許文献１には、挿入口部から他端の出口に向けて毛髪束が挿通されるポケット部を有する毛髪保持具が開示されている。特許文献２には、プラスチック製の２枚のシートをヒートシールにより接合してポケット部を形成することが記載されている。特許文献１には、ポケット部は、２枚のシートの両側部どうしを接合することによって形成されている旨が記載されている。
【０００３】
本出願人は、先に、２枚のシートからなる筒状体を具備している毛髪保持具を提案している（特許文献２）。筒状体は毛髪束を挿通可能に構成されており、筒状体に挿通した毛髪束を、筒状体と共に巻き上げることで、毛髪束にカール形状を付与することができる。この毛髪保持具は、筒状体の他端の開口部近傍の両側部に、該両側部から筒状体の幅方向に延出する巻き締め片を有している。さらに、毛髪保持具は、一面シートに向けて復元力を生じさせる観点から、一端の開口部側に設けられたフラップと、該フラップの両側部に接合された補強部材とを有している。
【０００４】
また、本出願人は、先に、前記筒状体の長手方向の両側縁部に、筒状体を構成する２枚のシートの一方の長手方向の両側縁部から立設するフランジが、前記一方のシート側に折り返されている毛髪保持具を提案している（特許文献３）。斯かる構成により、筒状体の周面に毛髪束を巻回する場合に、毛髪束がその両側からフランジにより保持されるため、該毛髪束が筒状体の周面から脱落し難い。
【先行技術文献】
【特許文献】
【０００５】
【特許文献１】米国特許第３２５５７６５号明細書
【特許文献２】特開２００７−９８１２１号公報
【特許文献３】特開２００４−２０９２３７号公報
【発明の概要】
【発明が解決しようとする課題】
【０００６】
毛髪束にカール形状をしっかり付与する観点から、毛髪保持具は、毛髪束を巻き上げる巻き上げ力が大きいことが望まれるが、特許文献１に記載の毛髪保持具は、前記巻き上げ力が不十分であった。また、特許文献２に記載の毛髪保持具は、フラップに補強材を有するものの、毛髪保持具自体の巻き上げ力に改善の余地があった。特許文献３に記載の毛髪保持具は、筒状体を構成する一方のシートに立設されたフランジを具備するものの、毛髪保持具自体の巻き上げ力に改善の余地があった。
【０００７】
したがって、本発明の課題は、前述した従来技術が有する欠点を解消し得る毛髪保持具及びその製造方法を提供することにある。
【課題を解決するための手段】
【０００８】
本発明は、一端の開口部から他端の開口部に向けて毛髪束を挿通可能に構成された筒状体を備え、長手方向と該長手方向に直交する幅方向を有する毛髪保持具であって、前記筒状体は、前記長手方向に沿って巻き上げ可能に構成されており、巻き上げ時に内側に位置する一面シート及び巻き上げ時に外側に位置する他面シートを有しており、前記筒状体は、前記一面シートと前記他面シートとが結合された一対の側部結合部、及びその間に位置する筒状部を有しており、前記一面シートは、前記長手方向の一方又は双方の側縁部に、前記幅方向に折り返された折り返し部を有しており、前記一対の側部結合部の一方又は双方が、前記一面シートと、前記他面シートと、前記一面シートの前記折り返し部とが積層され且つ厚み方向に一体化された高剛性部となっている、毛髪保持具を提供するものである。
【０００９】
また本発明は、一端の開口部から他端の開口部に向けて毛髪束を挿通可能に構成された、一面シート及び他面シートを有する筒状体を備え、長手方向と該長手方向に直交する幅方向を有する毛髪保持具の製造方法であって、前記一面シートと前記他面シートとを重ね合わせる工程と、前記一面シートの長手方向の一方又は双方の側縁部を、幅方向に折り返して折り返し部を形成する工程と、前記一面シートと、前記他面シートと、前記一面シートの前記折り返し部とが積層された積層構造を厚み方向に一体化する工程とを具備する、毛髪保持具の製造方法を提供するものである。
【００１０】
また、本発明は、一端の開口部から他端の開口部に向けて毛髪束を挿通可能に構成された筒状体を備え、長手方向と該長手方向に直交する幅方向を有する毛髪保持具であって、前記筒状体は、巻き上げ可能に構成されており、巻き上げ時に内側に位置する一面シート及び巻き上げ時に外側に位置する他面シートを有しており、前記一面シートと他面シートとは、それらが連なった１枚の連続シートからなり、前記連続シートは、前記一面シートと前記他面シートとの境界部で二つ折りにされており、該連続シートの側縁部同士が結合している、毛髪保持具を提供するものである（以下この発明を第２発明ともいう）。
【発明の効果】
【００１１】
本発明によれば、毛髪保持具を巻き上げた時の巻き上げ力に優れる毛髪保持具が提供される。
本発明（第２発明）によれば、構成部材の少ない毛髪保持具が提供される。
【図面の簡単な説明】
【００１２】
【図１】図１は、本発明の第１発明に係る毛髪保持具の一実施形態を示す正面図（ａ）及び背面図（ｂ）、並びに図１（ａ）のＡ−Ａ線断面図（ｃ）である。
【図２】図２は、図１に示す毛髪保持具を巻回してロール状にした状態を示す斜視図である。
【図３】図３は、図１に示す一面シート及び他面シートを示す正面図である。
【図４】図４（ａ）〜（ｃ）は、一面シートの折り返し部のバリエーションを示す正面図である。
【図５】図５（ａ）〜（ｈ）は、毛髪保持具の厚み方向における、本発明に係る折り返し部の形態のバリエーションを模式的に示す図１（ｃ）相当図である。
【図６】図６（ａ）〜（ｃ）は、図１に示す毛髪保持具１の製造方法を説明する図である。
【図７】図７（ａ）〜（ｃ）は、図１に示す毛髪保持具を用いて毛髪束にカールを付与する手順を順次示す斜視図である。
【図８】図８（ａ）は、第２発明に係る毛髪保持具の一実施形態を示す正面図であり、図８（ｂ）は図８（ａ）に示す毛髪保持具を構成する一面シート及び他面シートを示す正面図である。
【発明を実施するための形態】
【００１３】
以下、本発明の毛髪保持具を、その好ましい実施形態に基づき、図面を参照しながら説明する。図１には、本発明の第１発明である、毛髪保持具の一実施形態が示されている。本実施形態の毛髪保持具１は、図１（ａ）及び（ｂ）に示すように、一端の開口部２１から他端の開口部２２に向けて毛髪束Ｈを挿通可能なシート２３Ａ、２３Ｂにより構成された筒状体２を備えている。本実施形態の毛髪保持具１は、長手方向Ｘと該長手方向Ｘに直交する幅方向Ｙを有している。尚、本実施形態の毛髪保持具１を構成する一面シート２３Ａ及び他面シート２３Ｂの長手方向は、毛髪保持具１の長手方向Ｘと一致している。
【００１４】
本実施形態の筒状体２は、巻き上げ時に内側に位置する一面シート２３Ａ及び巻き上げ時に外側に位置する他面シート２３Ｂを有している。筒状体２は、図１（ａ）〜（ｃ）に示すように、扁平形状であり、２枚のシート２３Ａ，２３Ｂが結合された一対の側部結合部２４、及びその間に位置する毛髪束Ｈが挿入される筒状部２０を有している。本実施形態において筒状部２０は、一端の開口部２１から挿入した毛髪束Ｈを、他端の開口部２２に向けて挿通する部分である。筒状体２は、一方の面を形成するシート（以下「一面シート」ともいう）２３Ａと、他方の面を形成するシート（以下「他面シート」ともいう）２３Ｂとを一対の側部結合部により結合させて形成されている。
毛髪保持具１は、長手方向Ｘにおける筒状体２の一端の開口部２１側の端部から一面シート２３Ａが延出した延設部４を有している。毛髪保持具１は延設部４がなくても良いが、毛髪束Ｈの挿入作業を容易にする観点から、延設部４を有していることが好ましい。
【００１５】
以下、一面シート２３Ａ及び他面シート２３Ｂに共通する説明を行う際には、「基材シート２３」と表現する。
基材シート２３の形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
基材シート２３の厚みは、好ましくは５μｍ以上、より好ましくは１０μｍ以上であり、また好ましくは２０００μｍ以下、より好ましくは１５００μｍ以下であり、好ましくは５μｍ以上２０００μｍ以下、より好ましくは１０μｍ以上１５００μｍ以下である。
【００１６】
筒状体２は、巻き上げ可能に構成されている。巻き上げ可能な構成とは、図２に示すように、筒状体２を巻回してロール状にすることが可能であることを指す。このような構成は、主に自動的に巻き上がる構成を意味する。自動的に巻き上がる構成は、例えば、自然状態において、筒状体２がロール状に巻回されており、該筒状体２を引き伸ばして毛髪束Ｈを挿入した後、手を放すと、筒状体２が毛髪束Ｈとともに巻き上がるようになされている構成が挙げられる。このような構成は、筒状体２を構成する２枚のシート２３Ａ，２３Ｂの何れか一方又は双方が、毛髪保持具１を巻き上げた状態を記憶させてある形状記憶シートからなることにより具備することができる。形状記憶シートは、熱収縮率の異なるフィルムあるいは張力の違うフィルムを貼り合わせることによって形成することができる。また、筒状体２は、筒状体２を構成する基材シート２３を加熱することにより、記憶していた元のロール形状に復帰するものであっても良い。
【００１７】
また、毛髪保持具１は、自然状態において、筒状体２が引き伸ばされた状態であっても良いが、その使用を容易とする観点から、筒状体２が、自然状態において一面シート２３Ａを内側にしてロール状に巻回されていることが好ましい。
【００１８】
基材シート２３は、パーマ液等の毛髪処理剤の拡散性を向上させる加工が施されていることが好ましい。このような加工は、特に制限されないが、エンボス加工、カレンダー加工、樹脂膜形成加工等が挙げられる。例えばエンボス加工は、基材シート２３の長手方向に連なる凸部を形成することにより、毛髪処理剤が該凸部を伝うことで拡散性を向上させることができる。カレンダー加工は、基材シート２３の密度を調整することにより、毛髪処理剤の拡散性を向上させることができる。樹脂膜形成加工は、基材シート２３の一部あるいは全部に吸液性の低い樹脂膜を形成し基材シート全体の吸液量を低減させることにより、毛髪処理剤の拡散性を向上させることができる。
【００１９】
本実施形態の毛髪保持具１は、図１（ａ）及び（ｂ）に示すように、その両側縁部２５，２５それぞれの他端の開口部２２側の近傍に、幅方向Ｙの外方側に延出した巻き締め片８を有している。巻き締め片８は、図３に示すように、一面シート２３Ａの他端の開口部２２側の近傍に、幅方向Ｙの外方側に延出して、該一面シート２３Ａと一体的に形成されている。斯かる構成により、毛髪束Ｈを挿通した筒状体２を巻回する際、巻き締め片を手で把持して筒状体２を巻き上げると、筒状体２を容易に且つ必要に応じてきつく巻き上げることができる。このように毛髪保持具１は、毛髪保持具１の両側縁部２５，２５それぞれに巻き締め片８を有していることが好ましい。巻き締め片８として、例えば、特開２００６−１２９９７２号公報の段落〔００１９〕に記載のものを設けることができる。巻き締め片８の形成方法、形状、大きさ、厚さ、配置等は適宜設定できる。
【００２０】
筒状体２は、２枚のシート２３Ａ，２３Ｂを結合する一対の側部結合部２４を有している。本実施形態の筒状体２は、２枚のシート２３Ａ，２３Ｂの長手方向における両側縁部２５，２５に側部結合部２４を有している。本実施形態の側部結合部２４は、一面シート２３Ａ及び他面シート２３Ｂの２枚のシートを縫製糸で縫い合わせることにより形成されている。一対の側部結合部２４は、毛髪保持具１の長手方向Ｘに沿って形成されており、互い平行である。このように毛髪保持具１の筒状体２は、２枚のシート２３Ａ，２３Ｂが側部結合部２４によって結合することにより、形成されている。
【００２１】
図３は、本実施形態の毛髪保持具１を構成する一面シート２３Ａと、他面シート２３Ｂとを示す図である。本実施形態における一面シート２３Ａは、筒状体２の筒状部２０を形成する本体部２６と、該本体部２６の両側縁部２５，２５それぞれから毛髪保持具１の幅方向Ｙの外方へ延出する、折り返し部２７とを有している。以下、一面シート２３Ａが有する折り返し部を一面側折り返し部２７ともいう。一面側折り返し部２７は、図１（ｃ）に示すように、折り返された状態で他面シート２３Ｂと接合している。このように、毛髪保持具１の一面シート２３Ａは、長手方向Ｘの一方又は双方の側縁部２５に、幅方向Ｙに折り返された折り返し部２７を有している。
【００２２】
本実施形態の毛髪保持具１は、図１（ｃ）に示すように、その両側縁部２５，２５それぞれにおいて、一面シート２３Ａの本体部２６と、他面シート２３Ｂと、一面シート２３Ａの折り返し部２７とが積層された積層構造を有している。この積層構造は、側部結合部２４によって厚み方向Ｚに一体化されている。これにより、側部結合部２４は、他の部分に比して、高い剛性を有している。即ち一対の側部結合部２４は、その間に位置する筒状部２０に比して剛性が高い。このように、本発明の毛髪保持具は、一対の側部結合部２４の一方又は双方が、一面シート２３Ａと、他面シート２３Ｂと、一面シート２３Ａの折り返し部２７とが積層され且つ厚み方向Ｚに一体化された高剛性部となっている。
斯かる構成を具備する毛髪保持具１は、該毛髪保持具１を巻き上げた際に優れた巻き上げ力を有すると共に、巻き上げを容易に行うことができる。具体的には、本発明の毛髪保持具１は、一面シート２３Ａに折り返し部２７を有し、且つ側部結合部２４，２４が高剛性部であることにより、巻回状態の毛髪保持具１が元に戻ろうとする力を抑制して、巻き径が大きくなることを防ぐため、優れた巻き上げ力を有する。また、毛髪保持具１は、高剛性部間に位置する筒状部２０の剛性が該高剛性部よりも低いため、筒状部２０の巻き上げに対する抵抗が小さい。これにより、毛髪保持具１を容易に巻き上げることができる。
【００２３】
本実施形態の一面側折り返し部２７は、図３に示すように、一面シート２３Ａの長手方向、即ち毛髪保持具１の長手方向Ｘに沿って形成されている。このように、一面シート２３Ａは、毛髪保持具の巻き上げ方向に沿って形成された折り返し部２７を有していることが好ましい。
【００２４】
一面シート２３Ａは、図４（ａ）に示すように、長手方向Ｘにおける一方の側縁部２５のみに折り返し部２７を有していても良いが、毛髪保持具１の両側縁部２５，２５に剛性を持たせて前記巻き上げ力を向上させる観点から、図４（ｂ）〜（ｃ）に示すように、一面シート２３Ａの両側縁部２５，２５それぞれに、折り返し部２７を有していることが好ましい。
【００２５】
前記巻き上げ力を向上させる観点から、折り返し部２７は、以下の寸法で形成されていることが好ましい。
長手方向Ｘにおける折り返し部２７の長さＬ２７（図３参照）は、長手方向Ｘにおける筒状体２の長さＬ２〔図１（ｂ）参照〕に対して、好ましくは３０％以上、より好ましくは５０％以上であり、また好ましくは１００％以下、より好ましくは９０％以下であり、また好ましくは３０％以上１００％以下、より好ましくは５０％以上９０％以下である。
幅方向Ｙにおける折り返し部２７の長さＷ２７（図３参照）は、幅方向Ｙにおける筒状体２の長さＷ２〔図１（ｂ）参照〕に対して、好ましくは１％以上、より好ましくは５％以上であり、また好ましくは３０％以下、より好ましくは１５％以下であり、また好ましくは１％以上３０％以下、より好ましくは５％以上１５％以下である。
【００２６】
一面シート２３Ａと、他面シート２３Ｂの位置ずれを防止する観点から、折り返し部２７は、その長手方向の中心Ｃが、長手方向Ｘにおける筒状体２の長さＬ２〔図１（ｂ）参照〕の中央部に位置していることが好ましい。より具体的には、折り返し部２７は、その長手方向の中心Ｃが、長手方向Ｘにおける筒状体２の長さＬ２を、好ましくは３等分の領域に区分した際の真ん中の区分に位置し、より好ましくは５等分の領域に区分した際の真ん中の区分に位置し、さらに好ましくは長手方向Ｘにおける筒状体２の長さＬ２を二等分する中心線の線上に位置している。
【００２７】
毛髪保持具１を構成する２枚のシート２３Ａ，２３Ｂは、これらのシートの元になる原反シートを所望の形状に切断して製造される。切断方法は型抜きであっても良い。原反シートを切断する際に生じ得る切れ端は、材料ロスとなり、廃棄量の増加を招く。また、前記切れ端が、意図せず製造ラインに取り込まれて不良品の発生等の製造トラブルを引き起こすことがある。さらに、切れ端を除去するため、製造ラインに吸引除去機等の設備を設置するにしても、設置面積やコストの点で負担が生じる。これに対し本発明の折り返し部２７を有するシートからなる毛髪保持具は、該折り返し部のないシートからなる毛髪保持具に比して、型抜き等の切断の際に生じ得る切れ端量を抑えることができる。特に、図３に示すように、一面シート２３Ａが、長手方向Ｘにおける両側縁部２５，２５それぞれに、巻き締め片８を有する場合、巻き締め片８が幅方向Ｙの外方に向かって延出した分に応じて、原反シートをくり抜いた際に生じる前記切れ端が多量となり、材料ロスが高まってしまうが、折り返し部２７を有すると、折り返し部２７の分だけ材料ロスを低減することができる。
【００２８】
本実施形態の毛髪保持具１は、他面シート２３Ｂが、図１（ｃ）に示すように、毛髪保持具１の厚み方向Ｚにおいて、一面側折り返し部２７と一面シート２３Ａの本体部２６との間に位置するが、前記折り返し部を折り返した形態はこれに限定されない。例えば、図５（ａ）〜（ｋ）に示すような形態であっても良い。図５（ａ）〜（ｋ）は、毛髪保持具１の厚み方向における、本発明に係る折り返し部を折り返した形態のバリエーションを示す模式図である。尚、図５（ｇ）に示す形態は、図１（ｃ）と同じ形態である。
【００２９】
毛髪保持具１は、図５（ａ）、（ｄ）及び（ｇ）、（ｊ）に示すように、一面シート２３Ａのみが折り返し部２７を有していても良く、図５（ｂ）、（ｃ）、（ｅ）、（ｆ）、（ｈ）及び（ｉ）、（ｋ）に示すように、一面シート２３Ａ及び他面シート２３Ｂが、折り返し部２７，２８を有していても良い。斯かる構成により、側部結合部２４の剛性が向上するため、前記巻き上げ力をより向上させることができる。このように、他面シート２３Ｂは、長手方向Ｘにおける他面シート２３Ｂの両側縁部２５，２５それぞれに、一面シート２３Ａと同様の構成の折り返し部２８を有していることが好ましい。以下、他面シート２３Ｂが有する折り返し部２８を、他面側折り返し部２８ともいう。
一面シート２３Ａ及び他面シート２３Ｂがそれぞれ折り返し部２７，２８を有している場合、一対の側部結合部２４の一方又は双方が、一面シート２３Ａと、他面シート２３Ｂと、一面シート２３Ａの折り返し部２７と、他面シート２３Ｂの折り返し部２８とが積層され且つ厚み方向に一体化された高剛性部となっていることが好ましい。
【００３０】
一面シート２３Ａ及び他面シート２３Ｂの各折り返し部２７，２８を折り返す方向は特に制限されない。一面側折り返し部２７は、図５（ａ）に示すように、毛髪保持具１の巻き上げ時に外側に位置する他面シート２３Ｂ側に折り返されても良く、図５（ｄ）に示すように、他面シート２３Ｂとは反対側に折り返されても良い。本実施形態の毛髪保持具１は、図１（ｃ）に示すように、その厚み方向Ｚにおいて、一面シート２３Ａの折り返し部２７が、他面シート２３Ｂ側に向かって折り返されている。斯かる構成により、巻き上げる際の抵抗が小さいため、前記巻き上げ力をより向上させることができる
他面側折り返し部２８は、図５（ｂ）に示すように、一面シート２３Ａとは反対側に折り返されても良く、図５（ｃ）に示すように、一面シート２３Ａ側に折り返されても良い。
また、一面側折り返し部２７と他面側折り返し部２８とは、図５（ｂ）及び（ｆ）に示すように、同じ方向に折り返されていても良く、図５（ｃ）に示すように、互いに対向するように折り返されていても良く、図５（ｅ）に示すように、それぞれ異なる方向に折り返されていても良い。
【００３１】
一面側折り返し部２７と他面側折り返し部２８とは、図５（ｂ）、（ｃ）、（ｅ）及び（ｆ）に示すように、毛髪保持具１の厚み方向Ｚにおいて、互いに重なるように折り返されていても良い。
また、一面側折り返し部２７と他面側折り返し部２８とは、図５（ｇ）〜（ｋ）に示すように、毛髪保持具１の厚み方向Ｚにおいて、一面側折り返し部２７が他面側折り返し部２８を巻き込むようにして折り返されていても良い。この折り返し方によると、他面シート２３Ｂは、毛髪保持具１の厚み方向Ｚにおいて、一面シート２３Ａの折り返し部２７と該折り返し部２７以外の部分との間に位置する。斯かる構成により、毛髪保持具１の巻き上げる際に、毛髪束Ｈに与えるテンションを向上させることができる。このように、一面シート２３Ａの折り返し部２７は、他面シート２３Ｂ側に折り返されており、且つ毛髪保持具１の厚み方向Ｚにおいて、他面シート２３Ｂを巻き込むようにして折り返されていることが好ましい〔図５（ｇ）〜（ｋ）参照〕。
【００３２】
毛髪束Ｈに与えるテンションをより向上させる観点から、毛髪保持具１は、図５（ｇ）、（ｊ）に示すように、一面シート２３Ａのみが折り返し部２７を有し、且つ毛髪保持具１の厚み方向Ｚにおいて、他面シート２３Ｂを巻き込むようにして折り返されていることが好ましく、図５（ｈ）、（ｋ）に示すように、一面シート２３Ａ及び他面シート２３Ｂがそれぞれ折り返し部２７，２８を有し、且つ毛髪保持具１の厚み方向Ｚにおいて、他面シート２３Ｂを巻き込むようにして折り返されていることがより好ましい。
【００３３】
一面シート２３Ａ及び他面シート２３Ｂの一方又は双方は、図５（ｊ）及び（ｋ）に示すように、長手方向Ｘの片方の側縁部２５のみに折り返し部２７，２８を有していても良い。一面シート２３Ａ及び他面シート２３Ｂの双方が、長手方向Ｘの片方の側縁部２５のみに折り返し部２７，２８を有する場合、他面シート２３Ｂは、一面側折り返し部２７が形成されている側の側縁部２５に、他面側折り返し部２８を有していても良く〔図５（ｋ）参照〕、一面側折り返し部２７が形成されている側とは反対側の側縁部２５に、他面側折り返し部２８を有していても良い。
【００３４】
一面シート２３Ａの折り返し部２７は、それを容易に折り返す観点から、ヒンジ部２７ａを有していることが好ましい。本実施形態における折り返し部２７は、図３に示すように、幅方向Ｙにおける内方側の側縁部にヒンジ部２７ａが形成されている。ヒンジ部２７ａは、一面シート２３Ａを構成するシートに、毛髪保持具１の長手方向に延びる直線状の凹部からなる押し罫（罫線）で形成されている。押し罫（罫線）は、例えば、通常の金属押し刃での冷間押し、または加熱押しによって形成することができる。
ヒンジ部２７ａは、一面シート２３Ａに形成した押し罫（罫線）、ミシン目、又は一面シート２３Ａに形成した該シートを貫通しない切れ目であっても良い。ヒンジ部２７ａは、耐久性の観点から、単純に曲げを施したものではなく、押し罫であることが好ましい。  押し罫（罫線）は、一面シート２３Ａの何れの面に押し刃を当てて形成したものであっても良い。尚、他面シート２３Ｂも折り返し部２８を有している場合、一面シート２３Ａの折り返し部２７と同様の構成のヒンジ部を有することが好ましい。
【００３５】
ヒンジ部２７ａを形成する押し罫（罫線）は一直線に連続したものでよいが、部分的に押し罫がない部分があってもよい。本実施形態のヒンジ部２７ａは、図３に示すように、毛髪保持具１の長手方向Ｘに沿って、押し罫がある部分と該押し罫がない部分とが交互に並んで形成されている。押し罫がある部分は、一面シート２３Ａを貫通した部分、即ち切り離し部２７ｂが形成されている。押し罫がある部分は、一面シート２３Ａを貫通しない凹部であっても良いが、毛髪保持具１を巻き上げる際の抵抗力を緩和する観点から、ヒンジ部２７ａを形成する直線状の凹部からなる押し罫は、一面シート２３Ａを部分的に貫通する切り離し部２７ｂを有していることが好ましい。
【００３６】
本実施形態のヒンジ部２７ａは、折り返し部２７と本体部２６との境界部、即ち幅方向Ｙにおける折り返し部２７の内方側の側縁部に沿って形成されている。ヒンジ部２７ａは、切り離し部２７ｂが前記側縁部に沿って間欠的に複数形成されている。
巻き上げ時の抵抗力をより緩和する観点から、複数の切り離し部２７ｂの長さＬ２７ｂ（図３参照）の合計が、長手方向Ｘにおける折り返し部２７の長さＬ２７（図３参照）に対して、好ましくは５０％以上、より好ましくは７５％以上であり、また好ましくは９５％以下、より好ましくは９０％以下であり、また好ましくは５０％以上９５％以下、より好ましくは７５％以上９０％以下である。
【００３７】
筒状体２の寸法等は、毛髪の長さやくせ付けしたい場所、挿入する毛髪束の量に応じて適宜に決定することができるが、下記の範囲であることが好ましい。
幅方向Ｙにおける筒状体２の長さＷ２〔図１（ｂ）参照〕は、好ましくは２５ｍｍ以上、より好ましくは３０ｍｍ以上であり、また好ましくは２００ｍｍ以下、より好ましくは１５０ｍｍ以下であり、また好ましくは２５ｍｍ以上２００ｍｍ以下、より好ましくは３０ｍｍ以上１５０ｍｍ以下である。
【００３８】
長手方向Ｘにおける毛髪保持具１の長さＬ１〔図１（ｂ）参照〕は、好ましくは５０ｍｍ以上、より好ましくは１００ｍｍ以上であり、また好ましくは４００ｍｍ以下、より好ましくは３５０ｍｍ以下であり、また好ましくは５０ｍｍ以上４００ｍｍ以下、より好ましくは１００ｍｍ以上３５０ｍｍ以下である。長手方向Ｘにおける毛髪保持具１の長さＬ１は、長手方向Ｘにおける延設部４と、筒状体２との合計長さである。
長手方向Ｘにおける筒状体２の長さＬ２は、好ましくは４５ｍｍ以上、より好ましくは９０ｍｍ以上であり、また好ましくは３００ｍｍ以下、より好ましくは２７５ｍｍ以下であり、また好ましくは４５ｍｍ以上３００ｍｍ以下、より好ましくは９０ｍｍ以上２７５ｍｍ以下である。本実施形態の筒状体２は、一端の開口部２１側の端部が、長手方向Ｘの内側に向かって凹状に湾曲している。このように、長手方向Ｘにおける筒状体２の長さが、幅方向Ｙの位置により異なる場合、長手方向Ｘにおける筒状体２の最大長さが、前述の範囲内であることが好ましい。
【００３９】
幅方向Ｙにおける他端の開口部２２の長さＷ２２〔図１（ｂ）参照〕は、幅方向Ｙにおける筒状体２の長さＷ２に対して、好ましくは４０．０％以上、より好ましくは６６．７％以上であり、また好ましくは９７．５％以下、より好ましくは９６．７％以下であり、また好ましくは４０．０％以上９７．５％以下、より好ましくは６６．７％以上９６．７％以下である。
幅方向Ｙにおける他端の開口部２２の長さＷ２２〔図１（ｂ）参照〕は、好ましくは１０ｍｍ以上、より好ましくは２０ｍｍ以上であり、また好ましくは１９５ｍｍ以下、より好ましくは１４５ｍｍ以下であり、また好ましくは１０ｍｍ以上１９５ｍｍ以下、より好ましくは２０ｍｍ以上１４５ｍｍ以下である。
本実施形態において、幅方向Ｙにおける他端の開口部２２の長さＷ２２は、幅方向Ｙにおける一端の開口部２１の長さと同じである。幅方向Ｙにおける、他端の開口部２２の長さと、一端の開口部２１の長さとは同じであっても良いし、それぞれ異なっていても良い。
【００４０】
毛髪保持具１は、一面シート２３Ａ又は他面シート２３Ｂにスリットを有していても良いし、有していなくても良い。本施形態における毛髪保持具１は、図１（ａ）に示すように、他面シート２３Ｂに幅方向に延びる横長のスリット６を有している。斯かる構成により、毛髪保持具１を構成する基材シート２３の伸長性を向上させることができ、筒状体２をスムーズに巻き上げることができる。このように、筒状体２を構成する一方の面又は他方の面のシートに、該筒状体２の幅方向に長い形状の複数個のスリットが該筒状体２の長手方向に離間して直列に形成されていることが好ましく、筒状体２を構成する一方の面及び他方の面のシートの両方に、前記複数個のスリットが形成されていることがより好ましい。また、前記複数個のスリットは、筒状体２の長手方向Ｘに離間して直列に形成されていることが好ましい。筒状体２をスムーズに巻き上げる観点から、巻き上げ時に外側となる他面シート２３Ｂに長手方向に離間させて複数のスリットが形成されていることが好ましい。図２に示すスリットの他に、例えば、特開２００６−１２９９７２号公報に記載のスリットを設けることができる。
【００４１】
ここで、他面シート２３Ｂの幅方向に延びるスリットは、該スリットの筒状体２の長手方向における長さが３ｍｍ未満のものを意味する。また、幅方向Ｙにおけるスリット６の長さＷ６〔図１（ａ）参照〕は、幅方向Ｙにおける筒状体２の長さＷ２に対して、好ましくは４０．０％以上、より好ましくは５０．０％以上であり、また好ましくは９０．０％以下、より好ましくは８０．０％以下であり、また好ましくは４０．０％以上９０．０％以下、より好ましくは５０．０％以上８０．０％以下である。
また、幅方向Ｙにおけるスリット６の長さＷ６〔図１（ａ）参照〕は、好ましくは１０ｍｍ以上、より好ましくは１５ｍｍ以上であり、また好ましくは１８０ｍｍ以下、より好ましくは１２０ｍｍ以下であり、また好ましくは１０ｍｍ以上１８０ｍｍ以下、より好ましくは１５ｍｍ以上１２０ｍｍ以下である。
【００４２】
筒状体２の一端の開口部２１の端部近傍には、図１及び図２に示すように、一面シート２３Ａから筒状体２の長手方向に延出した延設部４が設けられている。本実施形態においては、一面シート２３Ａと延設部４とは一体形成されている。
【００４３】
本実施形態の延設部４における他面シート２３Ｂとの反対側には、図１（ｂ）に示すように巻き留め部５が設けられている。巻き留め部５は、他面シート２３Ｂに係合可能なもので、巻き上げ状態の筒状体２を巻き留め部５に係合させることにより筒状体２の巻き上げ状態を維持するものである。巻き留め部５としては、他面シート２３Ｂに係合可能なものであれば種々のものを用いることができ、本実施形態においては、メカニカルファスナーのオス部材を用いている。
【００４４】
次に本発明の製造方法について説明する。本発明の製造方法は、本発明の毛髪保持具の製造方法であり、一面シート２３Ａと他面シート２３Ｂとを重ね合わせる工程（１）と、一面シート２３Ａの長手方向の一方又は双方の側縁部２５を、幅方向に折り返して折り返し部２７を形成する工程（２）と、一面シート２３Ａと、他面シート２３Ｂと、一面シート２３Ａの折り返し部２７とが積層された積層構造を厚み方向Ｚに一体化する工程（３）とを具備する。
【００４５】
図６（ａ）〜（ｃ）は、図１に示す毛髪保持具１の製造方法を説明する図である。
毛髪保持具１を構成する一面シート２３Ａと他面シート２３Ｂとは、図３に示すように、一面シート２３Ａの一面側折り返し部２７及び巻き締め片８を除く、幅方向Ｙの長さが略同一に設計されている。
一面シート２３Ａは折り返し部２７を有しているため、毛髪保持具１を構成する２枚のシート２３Ａ，２３Ｂを、原反シートから所望の形状で型抜いて製造する際、前述した材料ロスを低減することができる。
【００４６】
２枚のシート２３Ａ，２３Ｂは、前記工程（１）において、図６（ａ）に示すように、他面シート２３Ｂの両側縁部２５，２５と、一面シート２３Ａの両側縁部２５，２５とが重なるように重ね合わされる。一面シート２３Ａの両側縁部２５，２５は、一面シート２３Ａの折り返し部２７の内方側の側縁部と一致する。他面シート２３Ｂは、一面シート２３Ａの上に重ね合わされる。
【００４７】
次いで、前記工程（２）は、図６（ｂ）に示すように、２枚のシート２３Ａ，２３Ｂを重ね合わせた状態で、長手方向Ｘにおける一面シート２３Ａの両側縁部２５，２５を、幅方向Ｙに折り返して、折り返し部２７を形成する。これにより、一面シート２３Ａの折り返し部２７によって、他面シート２３Ｂの幅方向Ｙにおける端部が固定されるため、他面シート２３Ｂが一面シート２３Ａ上でずれる、位置ずれを防ぐことができ、不良品の発生を効果的に抑制し得る。一面シート２３Ａは、長手方向Ｘの一方の側縁部２５のみに折り返し部２７を有する場合でも同様に位置ずれを防ぐことができるが、両方の側縁部２５に折り返し部２７を有する方が、位置ずれをより防ぐことができる。尚、図６（ｂ）に示す工程（２）は、一面シート２３Ａの両側縁部２５，２５を、他面シート２３Ｂ側に折り返して、折り返し部２７を形成する。
【００４８】
次いで、前記工程（３）は、図６（ｃ）に示すように、一面シート２３Ａと、他面シート２３Ｂと、一面シート２３Ａの折り返し部２７とが積層された積層構造を、厚み方向Ｚに一体化する。これにより、図１の側部結合部２４が形成されると共に、両側部結合部２４間に位置する筒状部を有する筒状体２が形成される。一面シート２３Ａ、他面シート２３Ｂ、及び一面シート２３Ａの折り返し部２７が積層した積層構造は、縫製糸により縫い合わされて一体化している。この積層構造は、縫合により一体化しているが、縫合以外の手段で行っても良く、例えば、ヒートシールや超音波シール等の融着又は接着剤等の接着により一体化しても良い。
【００４９】
次に、本実施形態における毛髪保持具１を用いた、本発明の毛髪処理方法について、毛髪（頭髪）に直接カールを付与する場合について、図７を参照しながら説明する。毛髪保持具１を用いた毛髪処理方法では、筒状体２を、該筒状体２に挿通した毛髪束Ｈと共に巻き上げる。毛髪保持具は、巻き上げ時の巻き具合によって、毛髪束Ｈの巻き径を調整することができる。
【００５０】
先ず、毛髪束Ｈの量や得ようとするカール形状に応じて、適当な長さ及び幅を有する筒状体２からなる毛髪保持具１を用い、図７（ａ）に示すように、引き伸ばした筒状体２の一端の開口部２１に毛髪束Ｈを挿入する。この際、毛髪保持具１の一端の開口部２１は楕円状に開口されても良いが、必要に応じ、該開口部２１を真円状に開口した方が、毛髪束Ｈをスムーズに挿通させ易い。また、毛髪束Ｈの挿通作業をスムーズに行う観点から、後述する毛髪挿入具を用いて、毛髪束Ｈの挿通作業を行うことが好ましい。また、図７（ａ）に示すように、毛髪束Ｈの先端を筒状体２の他端の開口部２２からはみ出させてもよい。
【００５１】
毛髪束Ｈを筒状体２に挿通させた後、図７（ｂ）及び（ｃ）に示すように、筒状体２をその他端の開口部２２の側から、一面シート２３Ａを内側にして巻き上げる。
【００５２】
次に、毛髪保持具１で巻き上げた毛髪束Ｈに毛髪処理剤を付与する。毛髪処理剤は、筒状体２の外側から毛髪束Ｈに付与する。そして所定時間後、筒状体２から毛髪束Ｈを抜き取り、洗髪等して、パーマ処理を完了する。２剤式の毛髪処理剤の場合は、毛髪保持具１で巻き上げた毛髪束Ｈに、筒状体２の外側から第１剤を付与した後、毛髪束Ｈを抜き取る前に毛髪束Ｈに第２剤を塗布する。そして所定時間後、筒状体２から毛髪束Ｈを抜き取り、洗髪等して、パーマ処理を完了することができる。
毛髪処理剤として、公知のパーマ剤の他、染毛剤、脱色剤、スタイリング剤、水等が挙げられる。
【００５３】
尚、毛髪保持具１は、前述したように、毛髪処理剤を用いて毛髪にカールを付与するパーマ処理に使用できるが、毛髪処理剤を用いないで毛髪にカールを付与する処理にも使用することができる。例えば、毛髪束Ｈを巻回した後、毛髪処理剤を用いずに、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。
【００５４】
また、毛髪保持具１と、筒状体２に毛髪束Ｈを挿入する長尺状の毛髪挿入具と共に用いることができる。毛髪束Ｈの挿入作業をより容易にする観点から、毛髪挿入具は、毛髪束Ｈをフック可能なフック部が設けられていることが好ましい。毛髪挿入具として、特開２００８−６１９５９号公報に記載のもの等を用いることもできる。
【００５５】
本発明の毛髪保持具は、前記実施形態に制限されることなく、本発明の趣旨を逸脱しない限り、適宜変更が可能である。
例えば、本実施形態の毛髪保持具１は、その両側縁部２５，２５それぞれに巻き締め片８を有していたが、片方の側縁部２５に複数の巻き締め片８を有していても良いし、片方の側縁部２５のみに巻き締め片を有していても良い。また、毛髪保持具１は、巻き締め片８を有していなくても良い。
側部結合部２４における前記積層構造の一体化は、前述した縫合以外に、ヒートシールや超音波シール等の融着、又は接着剤等の接着によって行っても良い。
本実施形態の毛髪保持具１は、巻き締め片８が一面シート２３Ａと一体的に形成されているが、他面シート２３Ｂと一体的に形成されていても良い。
また、毛髪保持具１は、本発明の効果を損なわない範囲で、幅方向Ｙにおける長さが一部異なる部分を有していても良い。
尚、本発明の毛髪保持具１における「筒状体２」を構成するシート材の形状及びその表面状態は、上述の形態の筒状体を形成可能なものであれば良く、シート材の表面は、凹凸面であってもよい。
【００５６】
次に第２発明に係る毛髪保持具を図８を用いて説明する。図８（ａ）は、第２発明の一実施形態である毛髪保持具１ａを構成する、一面シート２３Ａ及び他面シート２３Ｂを示す図である。本実施形態については、前記実施形態と異なる構成部分を主として説明し、特に説明しない構成部分は、前記実施形態についての説明が適宜適用される。また、上述した実施形態と同様の構成については同じ符号を付してその説明を省略する。
【００５７】
本実施形態の毛髪保持具１ａを構成する一面シート２３Ａ及び他面シート２３Ｂは、図８（ｂ）に示すように、それらが連なった１枚の連続シート２３Ｃからなる。毛髪保持具は、連続シート２３Ｃが、一面シート２３Ａと他面シート２３Ｂとの境界部Ｂ１で二つ折りにされており、該連続シート２３Ｃの側縁部Ｂ２同士が接合されている。斯かる構成により、２枚の別体のシートを接合してなる毛髪保持具に比して、毛髪保持具の構成部材を少なくすることができるため、製造効率性に優れる。また、１枚のシートを折り返して、一面シート２３Ａ及び他面シート２３Ｂからなる筒状体２を構成するため、２枚の別体のシートが正しい位置からずれて両者が接合されてしまう位置ずれの問題が生じ難い。
【００５８】
毛髪保持具１ａは、第１発明に係る毛髪保持具１と同様に、上述の毛髪処理方法に用いることができる。
【００５９】
図８に示す毛髪保持具１ａは、一面シート２３Ａと他面シート２３Ｂとが連なった連続シート２３Ｃを、一面シート２３Ａと他面シート２３Ｂとの境界部Ｂ１で二つ折りにする工程と、二つ折りにした連続シート２３Ｃの側縁部同士Ｂ２を結合して、筒状体２を形成する工程とを具備する、製造方法によって製造することができる。二つ折りにした連続シート２３Ｃの側縁部同士Ｂ２を結合する方法として、例えば、縫合、ヒートシールや超音波シール等の融着又は接着剤等の接着による手段が挙げられる。
【００６０】
本発明は更に以下の毛髪保持具及びその製造方法を開示する。
＜１＞
一端の開口部から他端の開口部に向けて毛髪束を挿通可能に構成された筒状体を備え、長手方向と該長手方向に直交する幅方向を有する毛髪保持具であって、
前記筒状体は、前記長手方向に沿って巻き上げ可能に構成されており、巻き上げ時に内側に位置する一面シート及び巻き上げ時に外側に位置する他面シートを有しており、
前記筒状体は、前記一面シートと前記他面シートとが結合された一対の側部結合部、及びその間に位置する筒状部を有しており、
前記一面シートは、前記長手方向の一方又は双方の側縁部に、前記幅方向に折り返された折り返し部を有しており、
前記一対の側部結合部の一方又は双方が、前記一面シートと、前記他面シートと、前記一面シートの前記折り返し部とが積層され且つ厚み方向に一体化された高剛性部となっている、毛髪保持具。
【００６１】
＜２＞
前記毛髪保持具は、巻き上げた状態を記憶させてある、前記＜１＞に記載の毛髪保持具。
＜３＞
前記筒状体を構成する前記一面シート及び前記他面シートが、前記毛髪保持具を巻き上げた状態を記憶させてある形状記憶シートからなり、該形状記憶シートは、熱収縮率の異なるフィルムあるいは張力の違うフィルムを貼り合わせることによって形成されている、前記＜２＞に記載の毛髪保持具。
＜４＞
前記筒状体を構成する前記一面シート及び前記他面シートが、前記毛髪保持具を巻き上げた状態を記憶させてある形状記憶シートからなり、
前記筒状体は、前記形状記憶シートの加熱により、記憶していた元のロール形状に復帰する、前記＜２＞又は＜３＞に記載の毛髪保持具。
【００６２】
＜５＞
前記一面シートは、その両側縁部それぞれに、前記折り返し部を有している、前記＜１＞〜＜４＞の何れか１に記載の毛髪保持具。
＜６＞
前記折り返し部が、前記毛髪保持具の厚み方向において、前記他面シート側に向かって折り返されている、前記＜１＞〜＜５＞の何れか１に記載の毛髪保持具。
＜７＞
前記他面シートは、前記毛髪保持具の厚み方向において、前記一面シートの前記折り返し部と該折り返し部以外の部分との間に位置している、前記＜１＞〜＜６＞の何れか１に記載の毛髪保持具。
＜８＞
前記他面シートは、前記長手方向の一方又は双方の側縁部に、前記幅方向に折り返された折り返し部を有しており、
前記一対の側部結合部の一方又は双方が、前記一面シートと、前記他面シートと、前記一面シートの前記折り返し部と、前記他面シートの前記折り返し部とが積層され且つ厚み方向に一体化された高剛性部となっている、前記＜１＞〜＜７＞の何れか１に記載の毛髪保持具。
【００６３】
＜９＞
前記長手方向における両側縁部それぞれに巻き締め片を有している、前記＜１＞〜＜８＞の何れか１に記載の毛髪保持具。
＜１０＞
前記巻き締め片は、前記一面シートの前記他端の開口部側の近傍に、前記幅方向の外方側に延出して、該一面シートと一体的に形成されている、前記＜９＞に記載の毛髪保持具。
【００６４】
＜１１＞
前記折り返し部は、ヒンジ部を有しており、
前記ヒンジ部は、毛髪保持具の長手方向に延びる直線状の凹部からなる押し罫により形成されており、
前記押し罫は、前記一面シートを部分的に貫通する切り離し部を有している、前記＜１＞〜＜１０＞の何れか１に記載の毛髪保持具。
＜１２＞
前記切り離し部は、前記折り返し部の前記側縁部に沿って間欠的に複数形成されており、
前記複数の切り離し部の長さの合計が、前記長手方向における折り返し部の長さに対して、５０％以上である、前記＜１１＞に記載の毛髪保持具。
＜１３＞
前記複数の切り離し部の長さＬ２７ｂの合計が、前記長手方向における前記折り返し部の長さＬ２７に対して、５０％以上、好ましくは７５％以上であり、また９５％以下、好ましくは９０％以下であり、また５０％以上９５％以下、好ましくは７５％以上９０％以下である、前記＜１２＞に記載の毛髪保持具。
【００６５】
＜１４＞
一端の開口部から他端の開口部に向けて毛髪束を挿通可能に構成された筒状体を備え、長手方向と該長手方向に直交する幅方向を有する毛髪保持具であって、
前記筒状体は、巻き上げ可能に構成されており、巻き上げ時に内側に位置する一面シート及び巻き上げ時に外側に位置する他面シートを有しており、
前記一面シートと他面シートとは、それらが連なった１枚の連続シートからなり、
前記連続シートは、前記一面シートと前記他面シートとの境界部で二つ折りにされており、該連続シートの側縁部同士が結合している、毛髪保持具。
【００６６】
＜１５＞
前記一面シート及び前記他面シートは、毛髪処理剤の拡散性を向上させる、エンボス加工、カレンダー加工、又は樹脂膜形成加工が施されている、前記＜１＞〜＜１４＞の何れか１に記載の毛髪保持具。
【００６７】
＜１６＞
前記長手方向における前記折り返し部の長さＬ２７は、前記長手方向における前記筒状体の長さＬ２に対して、３０％以上、好ましくは５０％以上であり、また１００％以下、好ましくは９０％以下であり、また３０％以上１００％以下、好ましくは５０％以上９０％以下である、前記＜１＞〜＜１５＞の何れか１に記載の毛髪保持具。
＜１７＞
前記幅方向における前記折り返し部の長さＷ２７は、前記幅方向における前記筒状体の長さＷ２に対して、１％以上、好ましくは５％以上であり、また３０％以下、好ましくは１５％以下であり、また１％以上３０％以下、好ましくは５％以上１５％以下である、前記＜１＞〜＜１６＞の何れか１に記載の毛髪保持具。
＜１８＞
前記折り返し部は、その長手方向の中心が、前記長手方向における前記筒状体の長さＬ２の中央部であって、前記長手方向における前記筒状体の長さＬ２を、好ましくは３等分の領域に区分した際の真ん中の区分、より好ましくは５等分の領域に区分した際の真ん中の区分、さらに好ましくは前記長手方向における前記筒状体の長さＬ２を二等分する中心線の線上に位置している、前記＜１＞〜＜１７＞の何れか１に記載の毛髪保持具。
【００６８】
＜１９＞
一端の開口部から他端の開口部に向けて毛髪束を挿通可能に構成された、一面シート及び他面シートを有する筒状体を備え、長手方向と該長手方向に直交する幅方向を有する毛髪保持具の製造方法であって、
前記一面シートと前記他面シートとを重ね合わせる工程と、
前記一面シートの長手方向の一方又は双方の側縁部を、幅方向に折り返して折り返し部を形成する工程と、
前記一面シートと、前記他面シートと、前記一面シートの前記折り返し部とが積層された積層構造を厚み方向に一体化する工程とを具備する、毛髪保持具の製造方法。
【００６９】
＜２０＞
前記一面シートと前記他面シートとを融着により結合する、前記＜１９＞に記載の毛髪保持具の製造方法。
＜２１＞
前記一面シートと前記他面シートとを接着により結合する、前記筒状体を形成する、前記＜１９＞に記載の毛髪保持具の製造方法。
＜２２＞
前記一面シートと前記他面シートとを縫合により結合する、前記筒状体を形成する、前記＜１９＞に記載の毛髪保持具の製造方法。
【符号の説明】
【００７０】
１，１ａ  毛髪保持具
２  筒状体
４  延設部
５  巻き留め部
６  スリット
８  巻き締め片
２０  筒状部
２１  一端の開口部
２２  他端の開口部
２３  基材シート
２３Ａ  一面シート
２３Ｂ  他面シート
２３Ｃ  連続シート
２４  側部結合部
２５  側縁部
２６  本体部
２７  一面側折り返し部
２７ａ  ヒンジ部
２７ｂ  切り離し部
２８  他面側折り返し部
Ｂ１  境界部
Ｂ２  側縁部
Ｘ  長手方向
Ｙ  幅方向
Ｚ  厚み方向
【図１】
2019111289.tif 000003
【図２】
2019111289.tif 000004
【図３】
2019111289.tif 000005
【図４】
2019111289.tif 000006
【図５】
2019111289.tif 000007
【図６】
2019111289.tif 000008
【図７】
2019111289.tif 000009
【図８】
2019111289.tif 000010